(57)【要約】【課題】無線通信のトラヒック量を低減してシステムの管理側にかかる負荷を軽減し、所定のユーザに対してだけ効率よくデータを共有化させる。【解決手段】  複数のデータ蓄積部に保存されているデータの共有化を管理する共有データ管理装置を、ユーザの属性情報を管理するプロファイル・グループ管理部２０１、属性情報に基づいてユーザグループを作成するグルーピング処理部２０２、データ蓄積部に保存されているデータを、ユーザグループを構成するユーザが共有化する権限情報を管理する共有化ポリシー管理部２０３によって構成し、プロファイル・グループ管理部２０１は、権限情報に基づいて蓄積データの共有化が許可されるユーザグループを特定する。共有データ管理装置は、さらに、蓄積データを、特定されたユーザグループに属するユーザが所有するデータ蓄積部に保存するデータ共有化処理部２０４を備える。【選択図】  図２
2010239384.tif 000002
【特許請求の範囲】
【請求項１】
無線ネットワークによって接続されている複数のデータ蓄積部と、
複数の前記データ蓄積部に保存されているデータの共有化を管理する共有データ管理装置と、
を含むデータ共有システムであって、
前記共有データ管理装置は、
データの共有を要求し得るユーザに関する属性情報を管理する属性情報管理手段と、
前記属性情報管理手段によって管理されている属性情報に基づいて、複数のユーザによって構成されるユーザグループを作成するグルーピング処理手段と、
複数の前記データ蓄積部に保存されているデータを、前記ユーザグループを構成するユーザが共有化する権限に関する権限情報を管理する権限情報管理手段と、
前記権限情報に基づいて、複数の前記データ蓄積部のうちのいずれかに蓄積された蓄積データの共有化が許可されるユーザグループを特定するユーザグループ特定手段と、
前記蓄積データを、前記ユーザグループ特定手段によって特定されたユーザグループに属するユーザが所有するデータ蓄積部に保存するデータ共有化処理手段と、
を備えることを特徴とするデータ共有システム。
【請求項２】
無線ネットワークによって接続されている複数のデータ蓄積部に保存されているデータの共有化を管理する共有データ管理装置であって、
データの共有を要求し得るユーザに関する属性情報を管理する属性情報管理手段と、
前記属性情報管理手段によって管理されている属性情報に基づいて、複数のユーザによって構成されるユーザグループを作成するグルーピング処理手段と、
複数の前記データ蓄積部に保存されているデータを、前記ユーザグループを構成するユーザが共有化する権限に関する権限情報を管理する権限情報管理手段と、
前記権限情報に基づいて、複数の前記データ蓄積部のうちのいずれかに蓄積された蓄積データの共有化が許可されるユーザグループを特定するユーザグループ特定手段と、
前記蓄積データを、前記ユーザグループ特定手段によって特定されたユーザグループに属するユーザが所有するデータ蓄積部に保存するデータ共有化処理手段と、
を備えることを特徴とする共有データ管理装置。
【請求項３】
前記ユーザが複数のユーザグループに属する場合、
前記ユーザグループ特定手段は、
複数のユーザグループのうち、データの共有化が許可されるユーザグループを１つ特定し、
前記データ共有化処理手段は、
前記ユーザ特定手段によって特定された１つのユーザグループに属するユーザが所有するデータ蓄積部にデータを保存することを特徴とする請求項２に記載のデータ管理装置。
【請求項４】
前記共有化権限管理手段は、
ユーザ及びユーザグループの各々について、共有化が許可されるデータの種別、データの共有化が許可される期間の少なくとも一つに関する権限を管理することを特徴とする請求項２または３に記載の共有データ管理装置。
【請求項５】
前記グルーピング処理手段は、
前記個人ユーザに関する属性情報、現在位置情報、過去に共有化されたデータの内容の少なくとも１つ基づいて前記ユーザグループを作成することを特徴とする請求項２から４のいずれか１項に記載の共有データ管理装置。
【請求項６】
無線ネットワークによって接続されている複数のデータ蓄積部に保存されているデータの共有化を管理する共有データ管理装置の制御方法であって、
データの共有を要求し得るユーザに関する属性情報を取得する属性情報取得ステップと、
前記属性情報取得ステップにおいて取得された属性情報に基づいて複数の前記ユーザによって構成されるユーザグループを作成するグルーピング処理ステップと、
複数の前記データ蓄積部に保存されているデータを、前記ユーザグループを構成するユーザが共有化する権限に関する権限情報を取得する権限情報取得ステップと、
前記権限情報に基づいて、複数の前記データ蓄積部のうちのいずれかに蓄積された蓄積データの共有化が許可されるユーザグループを特定するユーザグループ特定ステップと、
前記ユーザグループ特定ステップにおいて特定されたユーザグループに属するユーザが所有するデータ蓄積部に、前記蓄積データを保存するデータ共有化処理ステップと、
を含むことを特徴とする共有データ管理装置の制御方法。
【発明の詳細な説明】
【技術分野】
【０００１】
本発明は、データ共有システム、共有データ管理装置、共有データ管理装置の制御方法に関する。
【背景技術】
【０００２】
現在、ネットワーク上に保存されているデータをユーザが取得するサービスでは、ユーザが通信端末を使ってサーバにアクセスし、データの取得を要求する。このようなサービスの例としては、例えば、特許文献１が挙げられる。特許文献１に記載された発明は、監視機器によって取得された監視データを管理コンピュータに送信する。監視カメラ等の監視機器と利用者とには予めＩＤが付されている。管理コンピュータは、利用者のアクセスに応じて利用者のＩＤと監視機器とのＩＤとの対応を判断し、両者が一致した場合に利用者にインターネットを介して監視データを提供している。
【先行技術文献】
【特許文献】
【０００３】
【特許文献１】特開２００８−８５７８３号公報
【発明の概要】
【発明が解決しようとする課題】
【０００４】
しかしながら、このような従来技術では、管理コンピュータに保存されているデータに対し、各ユーザがアクセスしてデータを要求しなければならなかった。このため、多数のユーザにデータを配信する場合、多数のユーザが管理コンピュータのサーバ装置にアクセスする。多数のアクセスが発生すると、無線通信のトラヒック量が増えると共にサーバ装置にかかる負荷も増大するという不具合が生じる。
本発明は、このような点に鑑みてなされたものであって、複数のユーザがデータを共有化する場合、無線通信のトラヒック量を低減してシステムの管理側にかかる負荷を軽減し、しかも所定のユーザに対してだけ効率よくデータを共有化させることができる、データ共有システム、共有データ管理装置、共有データ管理装置の制御方法を提供することを目的とする。
【課題を解決するための手段】
【０００５】
以上の課題を解決するため、本発明の請求項１に記載のデータ共有システムは、無線ネットワークによって接続されている複数のデータ蓄積部（例えば図１に示したＤＢ１０４ａ〜１０４ｄ）と、複数の前記データ蓄積部に保存されているデータの共有化を管理する共有データ管理装置（例えば図１に示した共有データ管理サーバ１００）と、を含むデータ共有システムであって、前記共有データ管理装置は、データの共有を要求し得るユーザに関する属性情報を管理する属性情報管理手段（例えば図２に示したプロファイル・グループ管理部２０１）と、前記属性情報管理手段によって管理されている属性情報（プロファイル情報）に基づいて、複数のユーザによって構成されるユーザグループを作成するグルーピング処理手段（例えば図２に示したグルーピング処理部２０２）と、複数の前記データ蓄積部に保存されているデータを、前記ユーザグループを構成するユーザが共有化する権限に関する権限情報（ポリシー）を管理する権限情報管理手段（例えば図２に示した共用化ポリシー管理部２０３）と、前記権限情報に基づいて、複数の前記データ蓄積部のうちのいずれかに蓄積された蓄積データの共有化が許可されるユーザグループを特定するユーザグループ特定手段（例えば図２に示したプロファイル・グループ管理部２０１）と、前記蓄積データを、前記ユーザグループ特定手段によって特定されたユーザグループに属するユーザが所有するデータ蓄積部に保存するデータ共有化処理手段（例えば図２に示したデータ共有化処理部２０４）と、を備えることを特徴とする。このような発明によれば、ユーザグループに属する各ユーザが所有する複数のデータ蓄積部間において、無線ネットワーク上のデータを共有化することができる。また、この際、共有データ管理装置の側から複数のユーザに対してデータを配信することができるので、複数のユーザの各々が共有データ管理装置にアクセスしてデータの共有化を要求するよりも無線通信のトラヒック量を低減してシステムの管理側にかかる負荷を軽減することができる。また、このような配信を権限情報に基づいて行うので、所定のユーザに対してだけ効率よくデータを共有化させることができるデータ共有システムを提供することができる。
【０００６】
請求項２に記載の共有データ管理装置は、無線ネットワークによって接続されている複数のデータ蓄積部に保存されているデータの共有化を管理する共有データ管理装置であって、データの共有を要求し得るユーザに関する属性情報を管理する属性情報管理手段と、前記属性情報管理手段によって管理されている属性情報に基づいて、複数のユーザによって構成されるユーザグループを作成するグルーピング処理手段と、複数の前記データ蓄積部に保存されているデータを、前記ユーザグループを構成するユーザが共有化する権限に関する権限情報を管理する権限情報管理手段と、前記権限情報に基づいて、複数の前記データ蓄積部のうちのいずれかに蓄積された蓄積データの共有化が許可されるユーザグループを特定するユーザグループ特定手段と、前記蓄積データを、前記ユーザグループ特定手段によって特定されたユーザグループに属するユーザが所有するデータ蓄積部に保存するデータ共有化処理手段と、を備えることを特徴とする。このような発明によれば、ユーザグループに属する各ユーザが所有する複数のデータ蓄積部間において、無線ネットワーク上のデータを共有化することができる。また、この際、共有データ管理装置の側から複数のユーザに対してデータを配信することができるので、複数のユーザの各々が共有データ管理装置にアクセスしてデータの共有化を要求するよりも無線通信のトラヒック量を低減してシステムの管理側にかかる負荷を軽減することができる。また、このような配信を権限情報に基づいて行うので、所定のユーザに対してだけ効率よくデータを共有化させることができる共有データ管理装置を提供することができる。
【０００７】
請求項３に記載のデータ管理装置は、請求項２に記載の発明において、前記ユーザが複数のユーザグループに属する場合、前記ユーザグループ特定手段が、複数のユーザグループのうち、データの共有化が許可されるユーザグループを１つ特定し、前記データ共有化処理手段は、前記ユーザ特定手段によって特定された１つのユーザグループに属するユーザが所有するデータ蓄積部にデータを保存することを特徴とする。このような発明によれば、１人のユーザが複数のユーザグループに属する場合にも、ユーザグループによるデータ共有化の権限を明らかにし、意図しないデータの共有化を防ぐことができる。
【０００８】
請求項４に記載の共有データ管理装置は、請求項２または３に記載の発明において、前記共有化権限管理手段は、ユーザ及びユーザグループの各々について、共有化が許可されるデータの種別、データの共有化が許可される期間の少なくとも一つに関する権限を管理することを特徴とする。このような発明によれば、音声、映像といったデータの種別や期間によりデータを共有化する権限を設定することができる。このため、より細かな条件を設定してデータの共有化を許可、または拒否することができる。
【０００９】
請求項５に記載の共有データ管理装置は、請求項２から４のいずれか１項に記載の発明において、前記グルーピング処理手段が、前記個人ユーザに関する属性情報、現在位置情報、過去に共有化されたデータの内容の少なくとも１つ基づいて前記ユーザグループを作成することを特徴とする。このような発明によれば、同様の属性を有する複数のユーザに対し、この属性に適合したデータを配信することができる。また、所定の範囲内にいる複数のユーザに対し、この範囲にいることによって必要になるデータを配信することができる。さらに、同様の嗜好を持った複数のユーザに対し、この嗜好に合ったデータを配信することが可能になる。
【００１０】
請求項６に記載の共有データ管理装置の制御方法は、無線ネットワークによって接続されている複数のデータ蓄積部に保存されているデータの共有化を管理する共有データ管理装置の制御方法であって、データの共有を要求し得るユーザに関する属性情報を取得する属性情報取得ステップと、前記属性情報取得ステップにおいて取得された属性情報に基づいて複数の前記ユーザによって構成されるユーザグループを作成するグルーピング処理ステップと、複数の前記データ蓄積部に保存されているデータを、前記ユーザグループを構成するユーザが共有化する権限に関する権限情報を取得する権限情報取得ステップと、前記権限情報に基づいて、複数の前記データ蓄積部のうちのいずれかに蓄積された蓄積データの共有化が許可されるユーザグループを特定するユーザグループ特定ステップと、前記ユーザグループ特定ステップにおいて特定されたユーザグループに属するユーザが所有するデータ蓄積部に、前記蓄積データを保存するデータ共有化処理ステップと、を含むことを特徴とする。このような発明によれば、ユーザグループに属する各ユーザが所有する複数のデータ蓄積部間において、無線ネットワーク上のデータを共有化することができる。また、この際、共有データ管理装置の側から複数のユーザに対してデータを配信することができるので、複数のユーザの各々が共有データ管理装置にアクセスしてデータの共有化を要求するよりも無線通信のトラヒック量を低減してシステムの管理側にかかる負荷を軽減することができる。また、このような配信を権限情報に基づいて行うので、所定のユーザに対してだけ効率よくデータを共有化させることができる共有データ管理装置の制御方法を提供することができる。
【発明の効果】
【００１１】
本発明は、ユーザグループに属する各ユーザが所有する複数のデータ蓄積部間において、留守番電話の録音メッセージ、携帯電話機の着信等を知らせるメロディデータや映像、テキストといったデータを共有化することができる。また、この際、共有データ管理装置の側から複数のユーザに対してデータを配信することができるので、複数のユーザの各々が共有データ管理装置にアクセスしてデータの共有化を要求するよりも無線通信のトラヒック量を低減してシステムの管理側にかかる負荷を軽減することができる。また、権限情報を管理しておき、権限情報に基づいてデータの共用を制限しているので、正当な権利を持つユーザに対してだけ効率よくデータを共有化させることができる。
【図面の簡単な説明】
【００１２】
【図１】本発明の一実施形態のデータ共有システムを説明するための図である。
【図２】図１に示したデータ管理サーバの構成を説明するための図である。
【図３】図２に示したプロファイル・グループ管理部２０１の機能ブロック図である。
【図４】図２に示した共有化ポリシー管理部によって管理されるポリシーを説明するための図である。
【図５】本発明の一実施形態のポリシーを設定する方法を説明するための図である。
【図６】図２に示したグルーピング処理部を説明するための図である。
【図７】図２に示したデータ共有化処理部の機能を説明するための図である。
【図８】本発明の一実施形態のデータ共有システムにおける、プロファイル情報の登録を説明するためのシーケンスを示している。
【図９】本発明の一実施形態のプロファイル情報の登録を説明するためのフローチャートである。
【図１０】本発明の一実施形態のポリシーを設定する処理を説明するための図である。
【図１１】本発明の一実施形態のグルーピング処理を手動でする場合の処理を説明するためのシーケンス図である。
【図１２】本発明の一実施形態のグルーピング処理を自動でする場合の処理を説明するためのシーケンス図である。
【図１３】本発明の一実施形態のデータの共有化処理を説明するためのシーケンス図である。
【図１４】図１３に示したシーケンスにおいて、共有化ポリシー管理部によって行われる処理を説明するためのフローチャートである。
【図１５】本発明の一実施形態の、特に携帯電話機のメロディデータに適した共有化処理を説明するためのシーケンス図である。
【図１６】（ａ）は図１５に示したシーケンスにおいて携帯電話機が行う処理を説明するためのフローチャート、（ｂ）は図１５に示したシーケンスにおいて共有化ポリシー管理部が行う処理を説明するためのフローチャートである。
【発明を実施するための形態】
【００１３】
以下、図を参照して本発明に係る本発明の一実施形態のデータ共有システム、このシステムに含まれる共有データ管理装置、共有データ管理装置の制御方法を説明する。
（システムの概略）
図１は、本発明の一実施形態のデータ共有システムを説明するための図である。図示するように、本実施形態のデータ共有システムは、複数のデータベース（Database、以下ＤＢと記す）１０４ａ、１０４ｂ、１０４ｃと、ＤＢ１０４ａ〜１０４ｃに保存されているデータを共有するユーザを管理し、データを共有すべきユーザに送信する共有データ管理サーバ１００と、共有データ管理サーバ１００にデータを送信してＤＢ１０４ａ〜１０４ｄに保存させると共に、保存されたデータの配信を受ける通信端末装置を含んでいる。
【００１４】
通信端末装置としては、例えば、携帯電話機１０３ａ、１０３ｂ、１０３ｃ、１０３ｄが使用される。携帯電話機１０３ａ〜１０３ｄは、基地局１０１や図示しない携帯電話網を介してネットワークＮＷと接続する。なお、ネットワークＮＷは、ＰＣ（Personal Computer ）からでも携帯電話機１０３ａ〜１０３ｄ等のモバイル端末からでも同一のサービスを受けられるように機能が拡張されたネットワークである。
【００１５】
なお、本発明の実施形態は、通信端末装置として携帯電話機を使用することに限定されるものでなく、ＰＣを通信端末装置とする場合にも適用できる。
ＤＢ１０４ａ〜１０４ｄは、ユーザのいずれかに所有されている。ＤＢ１０４ａ〜１０４ｄには、対応するユーザによってデータが保存される。保存されるデータには、映像データ、音声データ、テキストデータ、プログラムデータが含まれる。
【００１６】
共有データ管理サーバ１００は、予めデータを共有するユーザを設定し、設定に従ってＤＢに保存されたデータを共有化させる。なお、「共有化」とは、共有が要求されたデータを、共有データ管理サーバ１００が、共有化が要求されたデータを、共有化を要求したユーザのＤＢに保存することをいう。また、本明細書では、このような処理を、共有化処理とも記すものとする。
【００１７】
なお、共有データ管理サーバ１００によるデータの保存は、例えば、共有化が要求されたデータをコピーし、Ｐｕｓｈ配信等によって共有化を要求したユーザのＤＢに配信することによって実現できる。
また、本実施形態では、ユーザがグループを構成するものとする。以下の説明では、このグループを「ユーザグループ」とも呼ぶ。そして、ユーザグループ内では、データの共有化が許可される。なお、データの共有化は、ユーザグループに属する各ユーザの承認を得た場合に限って行うようにしてもよいし、データを共有することが可能な全てのユーザに対して自動的に（つまり承認を不要として）行ってもよい。
【００１８】
（データ管理サーバの構成）
図２は、データ管理サーバの構成を説明するための図である。図示したように、共有データ管理サーバ１００は、プロファイル・グループ管理部２０１、グルーピング処理部２０２、共有化ポリシー管理部２０３、データ共有化処理部２０４を備えている。プロファイル・グループ管理部２０１、グルーピング処理部２０２、共有化ポリシー管理部２０３、データ共有化処理部２０４は、共有データ管理サーバ１００に含まれる機能であってもよいし、各々がサーバであって、全てが共同して共有データ管理サーバ１００として機能するものであってもよい。共有データ管理サーバ１００は、図１に示したように、無線ネットワークＮＷを介して携帯電話機１０３ａ〜１０３ｄ等の様々な通信端末装置と通信する。
【００１９】
１  プロファイル・グループ管理部
図３は、プロファイル・グループ管理部２０１の機能ブロック図である。プロファイル・グループ管理部２０１は、ユーザのプロファイル情報や所属グループ情報を管理する。このために、プロファイル・グループ管理部２０１は、ユーザプロファイルマスタＤＢ３００を備えている。ユーザプロファイルマスタＤＢ３００には、データ共有システムを利用する全てのユーザのプロファイル情報が保存されている。
また、本実施形態のデータ共有システムでは、プロファイル情報に、ユーザが属するユーザグループが含まれている。ユーザは、１つのユーザグループに属することに限定されるものでなく、複数のユーザグループに属することもできる。
【００２０】
図３では、ユーザプロファイルマスタＤＢ３００に保存されているプロファイル情報のうち、プロファイル情報３０１、プロファイル情報３０２を例示している。プロファイル情報３０１は、例えば、あるユーザＡのプロファイル情報であって、ユーザＡが少なくともグループ（Ｇｒｏｕｐ）１、２、７に所属していることを示している。また、プロファイル情報３０２によれば、ユーザＡと異なるユーザＣが、少なくともグループ（Ｇｒｏｕｐ）１、５に所属していることが分かる。
また、ユーザＡが所有するＤＢにテキストデータ３０３、映像データ３０４、音声データ３０５、プログラムデータ３０６が保存されていることが分かる。
また、プロファイル情報には、他に、ユーザの氏名や年齢、住所、職業といった個人情報、携帯電話機のＩＭＳＩ（international mobile subscriber identity）や電話番号、といった属性情報が含まれている。
【００２１】
また、本実施形態のデータ共有システムでは、図示しないＧＰＳ(Global Positioning System )等を使ってユーザの位置情報を検出し、検出された位置をプロファイル情報として保存するものであってもよい。さらに、本データ共有システムの契約時にユーザが自身の取得したい情報や嗜好等についても申請しておけば、ユーザが取得を希望する情報等がプロファイル情報に含まれる。このような情報は、後述する自動グループ化に利用することも可能である。
さらに、図示していないが、プロファイル情報には、ユーザが所有するＤＢを特定する情報と、ＤＢに保存されているデータの名称も含まれるものとする。ユーザが所有するＤＢを特定する情報やデータの名称は、必要に応じて他のユーザに公開され、他のユーザは、このような情報を使ってデータの共有を要求する。
【００２２】
２  共有化ポリシー管理部
図４は、共有化ポリシー管理部によって管理されるポリシーを説明するための図である。図４に示したポリシーは、あるユーザＢについて、音声データ（留守番電話の機能によって録音された音声データ：以下留守電とも記す）、携帯電話機において着信等を通知するメロディデータ（例えばＮＴＴドコモ社のメロディコール（登録商標）に用いられるデータ）、映像データ（例えばＮＴＴドコモ社のiモーション（登録商標）に用いられるデータ）といったデータの種別ごとに、他のユーザに対して共有を許可するか否かと、共有の制限（ユーザ、ユーザグループ、期間、共有方法）に係る条件を示す情報である。
【００２３】
図示した例では、このユーザＢが、ユーザグループＧｂに対してはメロディデータ、映像データについて共有を許可し、留守電のデータについては共有を許可していない。また、共有が許可されるデータについては、共有方法が「手動」になっていることから、共有可能なデータのうち、ユーザグループＧｂに属するユーザによって手動で選択されたデータだけが共有化される。さらに、共有時間は８／９から１０／７日であるので、メロディデータ、映像データは、ユーザグループＧｂに対して８／９から１０／７にだけ共有が許可される。
【００２４】
また、本実施形態では、ユーザグループばかりでなく、個人ユーザについてもデータの共有を許可することが可能である。図示した例では、このユーザが、ユーザＥに対して、メロディデータの共有についてのみ許可し、留守電、映像のデータについては共有を許可していない。メロディデータの共有期間は「８／１１からは無制限」であり、８月１１日以降は無制限に共有が許可されている。なお、共有方法は、「手動／自動」になっているので、共有可能なメロディデータの取得は手動、自動のいずれであってもよいと設定されている。
【００２５】
図５（ａ）、（ｂ）、（ｃ）は、ポリシーを設定する方法を説明するための図である。図示した例では、ユーザＡがユーザＢにポリシー設定の許可を要求するものとする。図５（ａ）、図５（ｂ）は、ユーザＡがユーザＢにデータ共有の許可を求める操作を行う通信端末装置の操作画面を示している。また、図５（ｃ）は、ユーザＢがユーザＡに対してデータ共有化の許可、または拒否をする通信端末装置の操作画面を示している。
【００２６】
ユーザＡは、図５（ａ）に示した操作画面から「情報登録」のボタンをクリックする。クリックにより、図５（ｂ）に示した操作画面が表示される。ユーザＡは、表示された登録画面を使ってユーザＡの名前、共有を要求するデータ種別（留守電の音声データ、メロディデータ、映像データの少なくとも１つ）、共有許可を手動でするか、または自動でするかの別、ユーザが属するグループ、共有期間を入力する。
【００２７】
なお、前記したように、ユーザは複数のユーザグループに属することができる。ただし、図５（ｂ）に示した操作画面において、ユーザは、自身が属する複数のユーザグループのうちの１つを選択して入力する。ユーザが共有を要求して許可された場合、入力された１つのユーザグループに属する他のユーザに対してのみデータが共有可能になる。また、ユーザが個人的にデータの共有を希望する場合、ユーザグループの入力は行われないことになる。
【００２８】
以上の情報が入力されると、ユーザＢの携帯電話機等の通信端末装置にデータ共有化の許可が要求されたことが通知される。通知により、ユーザＢは、図５（ｃ）に示した通信端末装置の通信画面から、共有化が希望されたデータごとに、共有の許可（Ｙｅｓ）、または拒否（Ｎｏ）を入力する。入力の結果により、図４に示したポリシーが更新される。なお、通知は、メールによって行われるものであってもよいし、通信端末装置のディスプレイ画面にポップアップメッセージを表示するようにしてもよい。
【００２９】
つまり、ユーザＡが共有化を希望したデータについて、ユーザＢが共有化を許可すると、図４に示したポリシー上でユーザＡまたはユーザＡが入力したユーザグループの、該当するデータの共有化が許可される。また、ユーザＡが共有化を希望したデータについて、ユーザＢが共有化を拒否すると、図４に示したポリシー上においてもユーザＡまたはユーザＡが入力したユーザグループの、該当するデータの共有化が拒否される。また、いったん共有が許可されたデータであっても、共有期間が過ぎたデータについては、共有化ポリシー管理部において自動的に共有が拒否されるように設定される。
【００３０】
さらに、ユーザグループによるデータの共有化は、例えば、ユーザグループに属する所定の権限を持ったユーザがデータの共有化を要求した場合にだけユーザＢに要求があったことが通知されるようにしてもよい。あるいは、予め定められた通信端末装置からデータ共有化の許可を要求した場合にだけユーザＢに要求があったことが通知されるようにしてもよい。
【００３１】
３  グルーピング処理部
図６は、図２に示したグルーピング処理部２０２を説明するための図である。グルーピング処理部２０２は、ユーザグループを作成する構成であって、手動、または自動でグルーピング処理をする。グルーピング処理部２０２によって作成されたユーザグループは、グループ登録部６０６に登録され、プロファイル・グループ管理部によって管理される。
【００３２】
手動によりユーザＡがユーザＢにユーザＡが管理するユーザグループへの参加を促す場合、ユーザＡは、通信端末装置の操作画面を介してユーザＢに、ユーザグループへの参加を要求する。要求は、ネットワークに含まれる一般的なＷＥＢサーバ６０４を介してユーザＢに通知される。ユーザＢがユーザＡのユーザグループへの参加を希望した場合、ＷＥＢサーバ６０４からグルーピング処理部２０２にグループ参加の希望が通知される。参加希望が通知されると、グループ登録部６０６は、ユーザＢをユーザＡのユーザグループのメンバとして登録する。
【００３３】
また、グルーピング処理部２０２は、自動グルーピング部６０７を備えている。自動グルーピング部６０７は、グループマッピング解析エンジン６０１、ユーザ嗜好解析エンジン６０２、ユーザプロファイル関連性解析エンジン６０３を備えている。自動グルーピング部６０７は、ユーザの現在位置や共有化を要求したデータの履歴、あるいはプロファイル情報に含まれる情報を使って自動的にユーザをグルーピングする構成である。
【００３４】
ユーザ嗜好解析エンジン６０２は、ユーザが共有化を希望したデータや、共有化を希望したデータの履歴を解析し、ユーザの嗜好を抽出する構成である。ユーザプロファイル関連性解析エンジン６０３は、複数のユーザのユーザプロファイルを解析し、その共通点等を抽出する構成である。グループマッピング解析エンジン６０１は、抽出されたユーザの嗜好やユーザプロファイルの共通点等に基づいてユーザをグループ化し、ユーザグループを作成する構成である。
【００３５】
・嗜好によるグルーピング処理
ユーザ嗜好解析エンジン６０２は、データ共有システムに登録されているユーザによって共有化されたデータの履歴を解析する。このとき、テキストデータについては、共有化された複数のテキストデータに共通のキーワードが嗜好に関する情報として抽出される。また、音楽にかかる音声データや映像データが共有化されている場合、音楽や映像のタイトルキーワードが嗜好に関する情報として抽出される。
グループマッピング解析エンジン６０１は、嗜好に関する情報が共通する複数のユーザが同一のユーザグループに属するようにユーザグループを形成する。なお、このとき、グループマッピング解析エンジン６０１は、ユーザにユーザグループへの参加を希望するか否かを問い合わせ、希望する場合にだけユーザをユーザグループに登録するようにしてもよい。
【００３６】
・属性（プロファイル情報）によるグルーピング処理
ユーザプロファイル関連性解析エンジン６０３は、ユーザプロファイルマスタＤＢに保存されているユーザプロファイルから、住所や勤務先、所属先、性別、趣味等のうち共通する要素を抽出する。グループマッピング解析エンジン６０１は、住所や所属先等の情報が共通する複数のユーザが同一のユーザグループに属するようにユーザグループを形成する。このようにすれば、例えば、区役所や警察等から所定の地域住民に対して情報を配信することができる。
この際、グループマッピング解析エンジン６０１は、共通する要素を持つ複数のユーザが同一のユーザグループに属するようにユーザグループを形成する。このとき、ユーザにユーザグループへの参加を希望するか否かを問い合わせ、希望する場合にだけユーザをユーザグループに登録するようにしてもよい。
【００３７】
・現在位置によるグルーピング処理
また、前述したように、ＧＰＳ等によってユーザの位置情報をユーザプロファイルとして取得している場合、ユーザプロファイル関連性解析エンジン６０３は、ユーザの現在位置が所定の範囲内にある点をユーザに共通する要素として抽出する。
位置情報に基づいてユーザグループを作成する場合の具体例としては、例えば、コンサート等のイベントへの参加を、自動的にユーザに呼びかける場合が考えられる。このような例では、イベントの主催者が予めユーザグループを作成し、イベント会場を中心に所定の範囲内にいるユーザに対しユーザグループへの参加を問合せる。ユーザがユーザグループへの参加を希望すると、イベント主催者のユーザグループに登録される。イベント主催者が自身のＤＢにイベントに関する情報を保存することにより、ユーザグループに含まれるユーザは、保存された情報を共有化することができる。
【００３８】
あるいは、交通渋滞等が発生した場合、交通機関の管理者がユーザグループを作成し、交通渋滞の影響が及ぶ範囲にいるユーザに対してユーザグループへの参加を希望するか否か問い合わせることも可能である。このようにすれば、管理者がＤＢに渋滞の状況や復旧の予定、迂廻路等の情報を保存することにより、ユーザグループに属するユーザが情報を共有化することができる。
【００３９】
４  データ共有化処理部
図７は、図２に示したデータ共有化処理部２０４の機能を説明するための図である。データ共有化処理部は、ユーザが所有するＤＢに保存されているデータを共有化する構成である。図７に示した例では、ユーザＡがＤＢ６０４ａを所有し、ユーザＢがＤＢ６０４ｂを所有しているものとする。また、ユーザＡはユーザグループＧｆに所属していて、ユーザグループＧｆには、ユーザＡの他にユーザＸ、ユーザＹが含まれているものとする。
【００４０】
ユーザＣがユーザＢに電話をし、留守電の音声データ（図中に留守電メッセージと記す）が生成された場合、音声データは、ＤＢ６０４ｂに保存される。図４に示したように、ユーザＢは、ユーザグループＦに対して留守電の音声データの共有を許可している。ユーザＡがユーザグループＦを指定してポリシー設定をしている場合、データ共有化処理部は、ＤＢ６０４ｂの留守電メッセージをＤＢ６０４ａにコピーして共有化処理を実行する。さらに、ユーザグループＦに属する、他のユーザＸ、ユーザＹが所有するＤＢに対しても共有化処理を行う。共有化処理により、留守電の音声データはＤＢ６０４ｂと共にユーザグループＦに属するユーザのＤＢにも保存されることになる。
【００４１】
また、ユーザＢがメロディデータをダウンロードすると、ダウンロードされたメロディデータはＤＢ６０４ｂに保存される。図４に示したように、ユーザＢは、ユーザグループＦに対してメロディデータの共有を許可している。ユーザＡがユーザグループＦを指定してポリシー設定をしている場合、データ共有化処理部は、ＤＢ６０４ｂの留守電メッセージをＤＢ６０４ａにコピーして共有化処理を実行する。さらに、ユーザグループＧｆに属する、他のユーザＸ、ユーザＹが所有するＤＢに対しても共有化処理を行う。共有化処理により、留守電の音声データはＤＢ６０４ｂと共にユーザグループＧｆに属するユーザのＤＢにも保存されることになる。
【００４２】
なお、データの共有化処理は、前記したように、手動または自動で行われる。手動の場合、共有化処理部は、ユーザＡ、ユーザＸ、ユーザＹに共有化をするか否かの判断を要求し、ユーザＡ等が共有化を希望する場合にだけデータの共有化を実行する。また、自動の場合、共有化処理部は、留守電の音声データやメロディデータが新たに保存されたことにより、この音声データやメロディデータをＤＢ６０４ａから自動的にユーザＡ、ユーザＸ、ユーザＹのＤＢにコピーする。
【００４３】
（動作）
次に、本実施形態のデータ共有システムの動作を説明する。
１  プロファイル情報の登録
図８は、本実施形態のデータ共有システムにおける、プロファイル情報の登録を説明するためのシーケンスを示している。図９は、プロファイル情報の登録を説明するためのフローチャートであって、例えば携帯電話機１０３ａにおいて実行される処理を説明している。
【００４４】
図８に示したように、プロファイル情報を登録するには、ユーザが例えば携帯電話機１０３ａを使ってデータ共用システムによって提供されるサイトのトップページに接続する。接続により、携帯電話機１０３ａとプロファイル・グループ管理部２０１との間でデータの授受が可能になる（ステップ８０１、８０２）。さらに、携帯電話機１０３ａからプロファイル・グループ管理部２０１へ、ユーザのプロファイル情報の登録要求が送信される（ステップ８０３）。
プロファイル・グループ管理部２０１は、登録要求に応じてプロファイル情報をユーザプロファイルマスタＤＢに登録する（ステップ８０６）。そして、登録の結果を携帯電話機１０３ａへ通知する（ステップ８０４）。携帯電話機１０３ａにおいて登録が確認された後、プロファイル情報の登録処理が完了する。
【００４５】
以上の処理において、ユーザは、図９に示したように、サイトに接続し（ステップＳ９０１）、サイトによって提供されるプロファイル情報の操作画面から、自身のプロファイル情報を入力する（ステップＳ９０２）。プロファイル情報は、操作画面に表示された送信ボタンをクリックする等の操作によってプロファイル・グループ管理部２０１に送信される（ステップＳ９０３）。送信後、操作画面に送信されたプロファイル情報を確認する確認画面が表示される。ユーザは、確認画面を確認し、自身が登録したプロファイル情報を確認する（ステップＳ９０４）。
さらに、本実施形態では、ユーザの現在位置をプロファイル情報として保存することができる。現在位置は、操作画面から住所や電話番号等の形式で入力してもよいし、携帯電話機１０３ａのＧＰＳ機能等を使用して取得するものであってもよい。
【００４６】
２  ポリシー設定の処理
図１０は、共有化ポリシー管理部２０３に対し、ポリシーを設定する処理を説明するためのシーケンスを示す図である。なお、ここでは、ユーザＡが図１に示した携帯電話機１０３ａを所有し、ユーザＢが図１に示した携帯電話機１０３ｂを所有している。ユーザＡは、携帯電話機１０３ａを使い、ユーザＢが所有するＤＢに保存されているデータ共有を要求するためのポリシーを設定するものとする。
【００４７】
ユーザＡは、携帯電話機１０３ａからデータ共有システムのサイトが提供するポリシー設定画面への接続を要求する（ステップ１１１）。共有化ポリシー管理部２０３は、要求に応じて携帯電話機１０３ａに対し、例えば図５（ｂ）に例示されたポリシー設定画面を提供する（ステップ１１２）。ユーザＡは、ポリシー設定画面に自身の名前や共有を希望するデータ種別、データの共有を求める場合に使用するユーザグループ名等を入力する（ステップ１１８）。入力された情報は、共有化ポリシー管理部２０３に送信される（ステップ１１３）。共有化ポリシー管理部２０３は、ユーザＢの携帯電話機１０３ｂに入力された情報を携帯電話機１０３ｂに送信し、このポリシーの設定の確認を要求する（ステップ１１４）。
【００４８】
ユーザＢは、送信された情報を携帯電話機１０３ｂから確認し、ユーザＡまたはユーザＡが属するユーザグループとのデータの共有を許可、または拒否するか判断する（ステップ１１９）。判断の結果は、ポリシー設定確認の情報として共有化ポリシー管理部２０３に送信される（ステップ１１５）。共有化ポリシー管理部２０３は、ユーザＡがデータの共有を許可した場合にユーザＢのポリシーを設定し（ステップ１２０）、例えば図４に示したように、登録する。そして、ポリシー設定の結果を携帯電話機１０３ａ、携帯電話機１０３ｂに送信する（ステップ１１６、１１７）。なお、ポリシー設定の結果を、ユーザＡが属する１つのユーザグループを構成する他のユーザの通信端末装置にも送信するようにしてもよい。
【００４９】
３．１  グルーピング処理（手動）
図１１は、本実施形態のユーザグループを生成する、グルーピング処理を手動でする場合の処理を説明するためのシーケンス図である。図１１では、ユーザＡが携帯電話機１０３ａを所有し、ユーザＢが携帯電話機１０３ｂを所有している。また、ユーザＡが予めグループを作っていて、ユーザＢにグループへの参加を要求するものとする。
【００５０】
このような場合、ユーザＡは、携帯電話機１０３ａを使って共有化ポリシー管理部２０３に、データ共有システムのサイトが提供するグループ設定画面を要求する（ステップ１７１）。共有化ポリシー管理部２０３は、ユーザＡの携帯電話機１０３ａにグループ設定画面を提供する（ステップ１７２）。ユーザＡは、携帯電話機１０３ａを使い、ユーザＢのユーザグループへ参加要求を共有化ポリシー管理部２０３に対して送信する（ステップ１７３）。共有化ポリシー管理部２０３は、ユーザＢの携帯電話機１０３ｂにユーザグループへの参加確認を要求する（ステップ１７４）。
【００５１】
ユーザＢは、共有化ポリシー管理部２０３の参加確認要求に応じ、ユーザグループへの参加を許可、または拒否する情報を送信する（ステップ１７５）。共有化ポリシー管理部２０３では、ユーザＢの参加、または拒否の意思にしたがってグルーピング処理が行われる（ステップ１８０）。そして、グルーピングの結果を、携帯電話機１０３ａ、携帯電話機１０３ｂに送信する（ステップ１７６、１７７）。ユーザＡがユーザＢのユーザグループに参加する場合、プロファイル・グループ管理部２０１に、ユーザＡがユーザＢのユーザグループに参加していることが登録される。
なお、ユーザＢが、ユーザＡのユーザグループから退会したい場合には、グループ設定画面から共有化ポリシー管理部２０３に対して退会する意思を示す情報を送信するようにすればよい。
【００５２】
３．２  グルーピング処理（自動）
図１２は、本実施形態のユーザグループを生成する、グルーピング処理を自動でする場合の処理を説明するためのシーケンス図である。図１２では、ユーザＡが携帯電話機１０３ａを所有し、ユーザＢが携帯電話機１０３ｂを所有している。また、図２に示したグルーピング処理部２０２が、ユーザの現在位置に基づいて自動的にグルーピング処理を実行するものとする。
【００５３】
グルーピング処理部２０２は、プロファイル・グループ管理部２０１に対してプロファイル情報の送信を要求する（ステップ１８１）。プロファイル・グループ管理部２０１は、要求に応じてプロファイル情報を送信する（ステップ１８２）。グルーピング処理部２０２は、プロファイル情報からユーザの現在位置を抽出し、現在位置が所定の範囲内に含まれる複数のユーザに対してユーザグループに参加するか否かを示す情報の送信を要求する（ステップ１８３、１８５）。ユーザ（例えばユーザＡ、ユーザＢ）は、要求された情報を携帯電話機から送信する（ステップ１８４、１８６）。
【００５４】
グルーピング処理部２０２は、ユーザグループに参加を希望するユーザ同士をユーザグループとする、グルーピング処理を行う（ステップ１８９）。どのユーザがどのグループに属するかを示す情報は、プロファイル・グループ管理部２０１によって管理される。グルーピング処理の結果は、ユーザグループに参加したユーザに送信される（ステップ１８７、１８８）。
【００５５】
なお、本実施形態は、現在位置に基づいて自動的にグルーピング処理をする構成に限定されるものではなく、例えば、ユーザの住所や所属先及び共有化を要求して自身のＤＢに蓄積されたコンテンツに基づいてグルーピング処理をすることができる。
住所に基づくグルーピング処理によれば、廃棄物のルールや公共施設の使用、店舗の営業時間等についてのデータを、特定の地域に住むユーザに共有化させることができる。また、所属先に基づくグルーピング処理によれば、勤務先の所属部所にかかってきた電話の音声データ等を、この部所に所属するユーザが共有することができる。さらに、ＤＢに蓄積されたコンテンツに基づくグルーピング処理によれば、同様のコンテンツを好む他のユーザにもデータ取得を提案し、データの取得（販売）を促進することも可能である。
【００５６】
４．１  共有化処理（留守電の音声データ、映像データ）
図１３は、データの共有化処理を説明するためのシーケンス図である。また、図１４は、図１３に示したシーケンスにおいて、共有化ポリシー管理部２０３が行う処理を説明するためのフローチャートである。ここでは、ユーザＡが携帯電話機１０３ａと図１に示したＤＢ１０４ａを所有し、ユーザＢが携帯電話機１０３ｂと図１に示したＤＢ１０４ｂを所有するものとする。また、図１３、図１４では、ユーザＢが１のユーザグループを指定してポリシーを設定し、ユーザＡの留守電の音声データ、あるいは映像データを共有化する例を説明するものとする。
【００５７】
例えば、図１３に示したように、携帯電話機１０３ｃから留守電の音声データがＤＢ１０４ａに保存され（ステップ１３３）、蓄積された場合（ステップ１２１）、携帯電話機１０３ａから共有化ポリシー管理部２０３に対し、ユーザＡのデータについてのポリシーの確認が要求される（ステップ１２２）。共有化ポリシー管理部２０３は、要求に応じ、例えば図４に示したポリシーを確認する。そして、ユーザＡの留守電の音声データついて共有化が許可されているユーザやユーザグループを特定する。ここでは、ユーザＢを含むユーザグループが、共用化が許可されたユーザグループに属するものとする。
【００５８】
特定されたユーザグループのポリシーが手動で共有化を実行するように設定されている場合、共有化ポリシー管理部２０３は、ユーザグループに含まれるユーザ（図では簡単のためユーザＢについてのみ示す）に共有化処理確認要求をする（ステップ１２３）。
ユーザＢは、共有化ポリシー管理部２０３に対してデータの共有化を実行する（ＯＫ）、または実行しない（ＮＧ）旨の指示を送信する（ステップ１２４）。共有の実行が指示された場合、共有化ポリシー管理部２０３は、携帯電話機１０３ａに共有化実行の指示を通知すると共に（ステップ１２５）、データ共有化処理部２０４に音声データの共有化の実行を要求する（ステップ１２６）。また、指定されたユーザグループに属する他のユーザのうち、共有化の実行を指示した他のユーザに対しても音声データの共有化の実行が要求される。
【００５９】
データ共有化処理部２０４は、要求に応じてＤＢ１０４ａ、１０４ｂ間における音声データの共有化を実行する（ステップ１２８）。共有化の実行は、データ共有化処理部２０４がＤＢ１０４ａの音声データをコピーして、データ共有化処理部２０４の側からＤＢ１０４ｂに向けてＰｕｓｈ配信等することによって行うものとする。共有化が実行された後、携帯電話機１０３ａ、携帯電話機１０３ｂ及び共有化を実行した他のユーザの通信端末装置から、データ共有化処理部２０４に共有化完了通知が送信される（ステップ１２９）。
【００６０】
データ共有化処理部２０４は、共有化ポリシー管理部２０３に共有化処理の結果を通知する（ステップ１３０）。共有化ポリシー管理部２０３は、さらに、携帯電話機１０３ａ、携帯電話機１０３ｂ及び共有化を実行した他のユーザの通信端末装置に共有化処理の結果を通知する（ステップ１３１、１３２）。
以上の動作において、共有化ポリシー管理部は、図１４のように動作する。すなわち、共有化ポリシー管理部は、ポリシーの確認を要求されたか否か判断する（ステップＳ１４１）。判断の結果、要求がされていなければ（ステップＳ１４１：Ｎｏ）、要求されるまで待機する。
【００６１】
ポリシーの確認が要求された場合（ステップＳ１４１：Ｙｅｓ）、共有化ポリシー管理部は、要求されたポリシーを確認する（ステップＳ１４２）。そして、該当するデータの種別について共有が許可されていて、かつ、手動による共有を希望しているユーザやユーザグループに対し、順にデータの共有化を希望するか否か判断する（ステップＳ１４３）。なお、自動的な共有化を希望するユーザやユーザグループに対しては、ステップＳ１４３の判断をすることなく、データ共有化処理部にデータの共有化が指示される。共有化を希望すると判断されたユーザやユーザグループは、後のＰｕｓｈ配信のために記録される(ステップＳ１４６)。
【００６２】
そして、データの共有化が可能なユーザ、あるいはユーザグループの全てについて、共有化を希望するか否かの判断をする（ステップＳ１４４）。全てのユーザについて判断が終了していない場合（ステップＳ１４４：Ｎｏ）、未処理のユーザやユーザグループの共有化処理の希望について判断し、共有化を実行する。また、全てのユーザについて判断が終了している場合には（ステップＳ１４４：Ｙｅｓ）、共有化を希望する全てのユーザについてデータ共有化処理部に共有化の指示をする（ステップＳ１４５）。
【００６３】
４．２  共有化処理（メロディデータ）
図１５は、特に携帯電話機のメロディデータに適した共有化処理を説明するためのシーケンス図である。また、図１６（ａ）は図１５に示したシーケンスにおいて携帯電話機が行う処理を説明するためのフローチャートである。図１６（ｂ）は図１５に示したシーケンスにおいて共有化ポリシー管理部２０３が行う処理を説明するためのフローチャートである。ここでは、ユーザＡが携帯電話機１５０２と図１に示したＤＢ１０４ａを所有し、携帯電話機１０３ａのユーザが図１に示したＤＢ１０４ｄを所有するものとする。また、携帯電話機１０３ａのユーザが、自身が属するユーザグループを指定してユーザＡに対するポリシーを設定するものとする。
【００６４】
携帯電話機１５０２がメロディデータをダウンロードすると、ダウンロードされたメロディデータがＤＢ１０４ａに蓄積される。メロディデータは、ポリシーによって共有が許可されているユーザグループに送信される（ステップ１５１）。なお、メロディデータをユーザグループに送信するタイミングは、例えば、ユーザグループに属するユーザが、ユーザＡに電話をかけたタイミングとすることができる。
【００６５】
ユーザグループに含まれるユーザの通信端末装置（図では簡単のため携帯電話機１０３ａについてのみ示す）では、送信されたメロディデータのデータを再生し、メロディを流す（ステップ１６１）。また、メロディが流れた後、メロディデータを取得するための操作のガイダンスを流すようにしてもよい。携帯電話機１０３ａのユーザは、再生されたメロディを聞き、ガイダンスにしたがってメロディデータの取得を希望するか否かを決定するための操作を行う（ステップ１６２）。
【００６６】
操作は、例えば、メロディデータの取得を希望する場合には所定のボタンを１回押してＤＢの共有化開始を指示する。また、メロディデータの共有を希望しない場合には、所定のボタンを２回押してデータの共有化をキャンセルするようにしてもよい。
携帯電話機１０３ａの操作により、携帯電話機１０３ａから、共有化ポリシー管理部２０３に対して携帯電話機１０３ａのユーザの共有化ポリシーの確認要求が送信される（ステップ１５２）。共有化ポリシー管理部２０３では、携帯電話機１０３ａを含むユーザグループのユーザのポリシーが判定される（ステップ１６０）。
【００６７】
判定の結果、携帯電話機１０３ａを含むユーザグループがユーザＡのメロディデータについて共有を許可されていて、かつ、現在共有期間の範囲内であれば、共有化ポリシー管理部２０３がデータ共有化処理部２０４に対して、ユーザグループのデータの共有化処理を要求する（ステップ１５４）。なお、共有化ポリシー管理部２０３のポリシー判定の結果は、共有化ポリシー管理部２０３からメロディデータの共有を希望した全てのユーザに送信される。
【００６８】
データ共有化処理部２０４は、共有化ポリシー管理部２０３の要求にしたがってＤＢ１０４ａのメロディデータをメロディデータの共有を希望した全てのユーザと共有化する（ステップ１５６）。共有化後、メロディデータの共有化処理がされたユーザの通信端末装置から、共有化処理完了がデータ共有化処理部２０４に通知される（ステップ１５７）。データ共有化処理部２０４は、ユーザグループに属するユーザの通信端末装置に、共有化処理の結果を通知する（ステップ１５８、１５９）。
【００６９】
以上のシーケンスにおいて、携帯電話機１０３ａでは、図１４（ａ）に示した処理が行われる。すなわち、携帯電話機の図示しない制御部は、メロディデータが他の通信端末装置から配信されてきたか否か判断する（ステップＳ１６１）。メロディデータが配信されたと判断された場合（ステップＳ１６１：Ｙｅｓ）、このメロディデータを携帯電話機の音声に関する処理回路が再生する。また、再生後、データ共用システムから提供された、メロディデータの取得するための操作に関するガイダンス情報をテキスト、または音声で提供する（ステップＳ１６２）。なお、メロディデータが配信されない場合（ステップＳ１６１：Ｎｏ）、配信されるまで待機する。
【００７０】
ユーザは、ガイダンスにしたがって携帯電話機のボタンを操作する。携帯電話機では、ボタン操作によってユーザがメロディデータの共有化を希望するか否かが判断される（ステップＳ１６３）。取得が希望された場合（ステップＳ１６３：Ｙｅｓ）、携帯電話機は共有化ポリシー管理部にメロディデータの取得を希望することを通知する（ステップＳ１６４）。また、取得を希望しない場合には（ステップＳ１６３：Ｎｏ）、共有化ポリシー管理部に通知することなく、処理が終了される。
【００７１】
また、共有化ポリシー管理部では、図１４（ｂ）に示したように、携帯電話機からメロディデータの取得を希望することを示す情報が送信されてきたか否か判断される（ステップＳ１６５）。ステップＳ１６５において、メロディデータの取得が希望されたと判断された場合（ステップＳ１６５：Ｙｅｓ）、携帯電話機のユーザを含むユーザグループのポリシーがメロディデータの取得が可能な状態に設定されているか否か判断する（ステップＳ１６６）。
【００７２】
携帯電話機のユーザがメロディデータを取得可能な場合（ステップＳ１６６：Ｙｅｓ）、共有化ポリシー管理部は、データ共有化管理部にメロディデータの共有化を指示する（ステップＳ１６７）。また、ユーザグループによるメロディデータの取得が許可されていない場合には（ステップＳ１６６：Ｎｏ）、共有化の指示をすることなく処理を終了する。なお、このような場合には、共有化が許可されていないことを示す情報を音声、またはテキストによって携帯電話機に送信してもよい。
【００７３】
（効果）
以上述べた本実施形態において、例えば留守電の音声データを共有化した場合、例えばユーザＡがユーザＢに電話をかけて録音された留守電メッセージを、ユーザＢ以外のユーザにも共有させることができる。このため、留守電メッセージの内容やその対応につき、ユーザＢは第三者に相談することが容易になる。また、複数の車両を使って同じ目的地を目指す場合、１台の車両が搭載するＧＰＳ情報を他の車両の同乗者の携帯電話機等と共有化することができる。このようにすれば、複数の車両を、同じルートに沿って円滑に運行させることが可能になる。
【産業上の利用可能性】
【００７４】
本発明によれば、ＮＴＴドコモ社の「留守番電話サービス」に適用し、留守番電話の録音メッセージを複数のユーザで共用することが可能になる。また、ＮＴＴドコモ社の「iモーション（登録商標）」に適用すれば、効率的に映像データを配信することが可能になる。
【符号の説明】
【００７５】
１００  共有データ管理サーバ
１０１  基地局
１０３ａ、１０３ｂ、１０３ｃ、１０３ｄ  携帯電話機
２０１  プロファイル・グループ管理部
２０２  グルーピング処理部
２０３  共有化ポリシー管理部
２０４  データ共有化処理部
３０１，３０２    プロファイル情報
３０３  テキストデータ
３０４  映像データ
３０５  音声データ
３０６  プログラムデータ
６０１  グループマッピング解析エンジン
６０２  ユーザ嗜好解析エンジン
６０３  ユーザプロファイル関連性解析エンジン
６０４  ＮＷサーバ
６０６  グループ登録部
６０７  自動グルーピング部
【図１】
2010239384.tif 000003
【図２】
2010239384.tif 000004
【図３】
2010239384.tif 000005
【図４】
2010239384.tif 000006
【図５】
2010239384.tif 000007
【図６】
2010239384.tif 000008
【図７】
2010239384.tif 000009
【図８】
2010239384.tif 000010
【図９】
2010239384.tif 000011
【図１０】
2010239384.tif 000012
【図１１】
2010239384.tif 000013
【図１２】
2010239384.tif 000014
【図１３】
2010239384.tif 000015
【図１４】
2010239384.tif 000016
【図１５】
2010239384.tif 000017
【図１６】
2010239384.tif 000018